(57)【要約】【課題】極めてシンプルな構成でありながら、連結作業及び位置調整作業を容易に行うことができ、しかも確実な連結力が得られる配管用支持金具を提供する。【解決手段】配管Ｐの側面を巻回して支持する支持環１を設ける。該支持環１の上端部に設けられ、吊りボルトＱを挿通するボルト挿通孔３を形成した連結部２を設ける。配管Ｐを支持して吊りボルトＱの下端部に連結する。前記支持環１は弾性を有する帯板で形成される。該支持環１の両端部を上下に重ねた位置に前記ボルト挿通孔３を一対形成する。支持環１と連結部２とを一体形成する。吊りボルトＱを挿入したボルト挿通孔３の係止縁部３Ａが、前記支持環１の弾性力で吊りボルトＱ側面に係止するように設ける。【選択図】図１
2005188702.tif 000002
【特許請求の範囲】
【請求項１】
配管の側面を巻回して支持する支持環と、該支持環の上端部に設けられ、吊りボルトを挿通するボルト挿通孔を形成した連結部とからなり、配管を支持して吊りボルトの下端部に連結する配管用支持金具において、前記支持環は弾性を有する帯板で形成され、該支持環の両端部を上下に重ねた位置に前記ボルト挿通孔を一対形成して該支持環と前記連結部とを一体に形成し、吊りボルトを挿入したボルト挿通孔の開口縁が係止縁部として前記支持環の弾性力で吊りボルト側面に係止するように設けたことを特徴とする配管用支持金具。
【請求項２】
前記連結部において、吊りボルトのねじ山の谷部に食い込むように係止せしめる小径の挟着部を上部のボルト挿通孔に形成し、下部のボルト挿通孔の係止縁部に対向する開口縁から斜め下方に延長されて吊りボルトの側面に係止する係止爪片を設けた請求項１記載の配管用支持金具。
【請求項３】
前記係止爪片は、平面略Ｖ字形状に形成した係止縁部が吊りボルトの側面に係止するように設けた請求項２記載の配管用支持金具。
【請求項４】
前記連結部において、前記支持環の両端部を重ねた際に、重ねた両端部相互を固定せしめる係止部を設けた請求項１又は２記載の配管用支持金具。
【請求項５】
前記係止部は、前記支持環の一方の端部に設けた切欠溝と、他方の端部に突設した係止片とからなり、該係止片を切欠溝にスライド係止する請求項４記載の配管用支持金具。
【発明の詳細な説明】
【技術分野】
【０００１】
本発明は、主に冷暖房用空調配管など、各種配管類を吊りボルトに連結する際に使用する配管用支持金具に関する。
【背景技術】
【０００２】
冷媒管等の配管類を吊りボルトに連結する際に、特許文献１に記載された配管用支持金具が提案されている。この特許文献１によると、配管を支持する固定環を開閉自在に設け、固定環の片側を吊りボルトに固定した状態で、他方の固定環を開閉自在に設けたものである。
【０００３】
一方、特許文献２に記載された配管用支持金具には、天井より垂設してなる吊りボルトに対し、配管用支持金具をワンタッチで連結可能にした連結具が記載されている。この連結具は、略凹状に形成してなるホルダーの水平部に吊りボルトより大径なボルト固定穴を設け、該ボルト固定穴の内周には弾性作用を具有する様にホルダーの内方へ折曲した少なくとも２本以上の爪片を突設している。一方、前記水平部の上方或いは下方にはバネ板部を弾性作用が具有する様に傾斜して設け、該バネ板部は前記ボルト固定穴の略対応位置に吊りボルトより若干大径なボルト挿通穴を貫設し、該ボルト挿通穴はバネ板部に外力を加えて前記傾斜姿勢を変更した際にボルト固定穴と同心となる様に設定した連結具である。
【０００４】
更に、特許文献３に記載された配管用支持金具には、支持具本体を所望の取付け位置に簡便、かつ、確実に取付けることができるようにした支持具が提案されている。この支持具は、吊りボルトに対して係止自在な係止部と、吊りボルトを受け止め支持自在な支持部とを備えた支持具本体を設けてある支持具である。そして、前記係止部が、前記吊りボルトの先端部を挿入受け入れ自在な受入部に、その受入部への前記吊りボルトの挿入に伴って弾性変形する板バネ部材の弾性復元力でその吊りボルトに対して係止して、前記吊りボルトの前記受入部からの抜け出しを阻止可能な係止爪を、前記板バネ部材の弾性復元力に抗する変形操作で係止解除自在に設けて構成され、前記板バネ部材の前記係止解除側への変形操作量を規制する規制部を設けた支持具である。
【特許文献１】実公昭６３−４２２３０号公報
【特許文献２】実公平７−４３５７７号公報
【特許文献３】特開２０００−２３６２号公報
【発明の開示】
【発明が解決しようとする課題】
【０００５】
特許文献１に記載された配管用支持金具は、固定環を吊りボルトに取付ける際に、ナットや座金等を使用して固定環の一方を連結する必要があるので、吊りボルトに配管用支持金具を連結する作業が煩雑になり、特に高所での作業として作業性が悪くなる欠点があった。
【０００６】
そこでこのような不都合を解消すべく構成された特許文献２の連結具によって、配管用支持金具をワンタッチで連結可能になっている。ところが、特許文献２では、吊りボルトをワンタッチで連結する為にボルト固定穴の内周に斜めに突設した２本以上の爪片が、配管用支持金具の位置調節を妨げていた。すなわち、吊りボルトに取付けた配管用支持金具の取付け位置を調節する場合、この爪片の先端方向へ移動する場合は容易に調整できるが、爪片の先端方向と逆方向へ移動する場合は、２本以上の爪片がボルトのネジ山に係止しているので、係止状態を解除する作業が極めて困難になるものであった。
【０００７】
更に、特許文献３は、特許文献１及び特許文献２が有する前記問題点を解決するために工夫されているが、支持具の構造が極めて複雑になってしまう不都合があった。すなわち、特許文献３の支持具によると、吊りボルトの挿入に伴って弾性変形する板バネ部材を支持具本体と別体に設け、この板バネ部材をビス止めや溶接等で支持具に固定する必要がある。また、この板バネ部材の係止解除を自由に行う為の構成部材や、これら各部材を配置するための枠体などを支持具本体と別体に設ける必要もある。このように、特許文献３では、極めて多くの構成部材が必要になり、且つ、製造工程も複雑化しているので、製造コストが高騰し低コストでの提供が困難な状況にある。
【０００８】
そこで本発明は上述の課題を解消すべく創出されたもので、極めてシンプルな構成でありながら、連結作業及び位置調整作業を容易に行うことができ、しかも確実な連結力が得られる配管用支持金具の提供を目的とするものである。
【課題を解決するための手段】
【０００９】
本発明の第１の手段は、配管Ｐの側面を巻回して支持する支持環１と、該支持環１の上端部に設けられ、吊りボルトＱを挿通するボルト挿通孔３を形成した連結部２とからなり、配管Ｐを支持して吊りボルトＱの下端部に連結する配管用支持金具において、前記支持環１は弾性を有する帯板で形成され、該支持環１の両端部を上下に重ねた位置に前記ボルト挿通孔３を一対形成して該支持環１と前記連結部２とを一体形成し、吊りボルトＱを挿入したボルト挿通孔３の開口縁が係止縁部３Ａとして前記支持環１の弾性力で吊りボルトＱのねじ山の谷部Ｑ１に食い込むように係止せしめることにある。
【００１０】
第２の手段は、前記連結部２において、吊りボルトＱのねじ山の谷部Ｑ１に食い込むように係止せしめる小径の挟着部３Ａａを上部のボルト挿通孔３に形成し、下部のボルト挿通孔３の係止縁部３Ａと対向する開口縁から斜め下方に延長されて吊りボルトＱの側面に弾性係止する係止爪片４を設けたものである。
【００１１】
第３の手段において、前記係止爪片４は、平面略Ｖ字形状に形成した係止縁部４Ａが吊りボルトＱの側面を支えるように設けている。
【００１２】
第４の手段は、前記連結部２において、前記支持環１の両端部を重ねた際に、重ねた両端部相互を固定せしめる係止部５を設ける。
【００１３】
第５の手段において、前記係止部５は、前記支持環１の一方の端部に設けた切欠溝５Ａと、他方の端部に突設した係止片５Ｂとからなり、該係止片５Ｂを切欠溝５Ａにスライド係止するようにしている。
【発明の効果】
【００１４】
本発明によると、支持環１は弾性を有する帯板で形成され、該支持環１の両端部を上下に重ねた位置に前記ボルト挿通孔３を一対形成して該支持環１と前記連結部２とを一体形成し、吊りボルトＱを挿入したボルト挿通孔３の係止縁部３Ａが前記支持環１の弾性力で吊りボルトＱ側面に係止するように設けたことにより、ボルト挿通孔３に吊りボルトＱを挿入するだけで極めて容易に係止することができる。
【００１５】
また、吊りボルトＱのねじ山の谷部Ｑ１に食い込むように係止せしめる小径の挟着部３Ａａを上部のボルト挿通孔３の係止縁部３Ａに形成し、下部のボルト挿通孔３の係止縁部３Ａと対峙する開口縁から斜め下方に延長されて吊りボルトＱの側面に係止する係止爪片４を設けたものであるから、位置調整を行う場合は、支持環１を持って斜めに傾けることで、挟着部３Ａａと係止縁部４Ａとの係止状態が解除され、吊りボルトＱに連結した本発明支持金具の位置調整を容易に行うことができる。
【００１６】
更に、係止爪片４は、平面略Ｖ字形状に形成した係止縁部４Ａが吊りボルトＱの側面を支えるように係止しているので、確実強固な係止力が得られ、しかも、支持環１を持つ手連結部２を傾けるだけで容易に係止爪片４を解除できるものである。
【００１７】
また、前記支持環１の両端部を重ねた際に、重ねた両端部相互を固定せしめる係止部５を設けているので連結部２が開き傾向になるのを防止し、安定した連結力が得られる。
【００１８】
このように、本発明によると、吊りボルトＱへの連結作業は、連結部２のボルト挿通孔３に挿通するだけで良く、また、連結後の位置調整は、支持環１を持ちながら連結部２を傾けることで極めて簡単に調整することができる。しかも、連結時の連結部２は、上下に一対設けたボルト挿通孔３の夫々の係止力に加え、上部ボルト挿通孔３の挟着部３Ａａが吊りボルトＱのねじ山谷部Ｑ１に食い込むように係止し、下部ボルト挿通孔３付近に設けた係止爪片４の係止縁部４Ａが吊りボルトＱの側面を強力に係止する。更に、支持環１に支持した配管Ｐの荷重がこれらの係止力を増強するので、極めて強力な連結力を安定した状態で発揮することができる。
【００１９】
したがって、本発明支持金具は、極めてシンプルな構成でありながら、連結作業及び位置調整作業が容易になり、しかも確実な連結力が得られるといった優れた効果を奏するものである。
【発明を実施するための最良の形態】
【００２０】
本発明によると、支持環１は弾性を有する帯板で形成され、該支持環１の両端部を上下に重ねた位置に前記ボルト挿通孔３を一対形成して該支持環１と前記連結部２とを一体形成し、吊りボルトＱを挿入したボルト挿通孔３の開口縁が係止縁部３Ａとして前記支持環１の弾性力で吊りボルトＱ側面に係止するように設け、吊りボルトＱのねじ山の谷部Ｑ１に食い込むように係止せしめる小径の挟着部３Ａａを上部のボルト挿通孔３の係止縁部３Ａに形成し、下部のボルト挿通孔３の係止縁部３Ａと対峙する開口縁から斜め下方に延長されて吊りボルトＱの側面に係止する係止爪片４を設けることで、当初の目的を達成したものである。
【実施例】
【００２１】
本発明支持金具の基本構成は、弾性を有する１枚の帯板で構成される（図２、図３参照）。この帯板により、配管Ｐの側面を巻回して支持する支持環１と、ボルト挿通孔３を形成した連結部２とを形成し、重ねた連結部２のボルト挿通孔３に吊りボルトＱを挿通し、吊りボルトＱの下端部に連結する（図１参照）。
【００２２】
支持環１は鋼板やステンレス板等の弾性を有する金属板で形成される。そして、支持環１の両端部を上下に重ねた位置に前記ボルト挿通孔３を開穿し、一対のボルト挿通孔３を形成する（図２参照）。このボルト挿通孔３に吊りボルトＱを挿通して支持環１を開放すると、支持環１の弾性力により広がるボルト挿通孔３の開口縁の一部が係止縁部３Ａとしてそれぞれ吊りボルトＱの側面に係止し、連結部２が吊りボルトＱに固定されるものである（図７参照）。
【００２３】
連結部２のボルト挿通孔３が吊りボルトＱ側面に係止する状態をより確実にする為に、吊りボルトＱのねじ山の谷部Ｑ１に食い込むように係止せしめる小径の挟着部３Ａａを上部のボルト挿通孔３の係止縁部３Ａに形成している（図５参照）。図示の挟着部３Ａａは、円形に形成したボルト挿通孔３の係止縁部３Ａの一部を更に切り開いて、ボルト挿通孔３全体が略鉤穴状になるように形成している。このような挟着部３Ａａによると、吊りボルトＱのねじ山の谷部Ｑ１に食い込むように係止することができる。
【００２４】
一方、下部のボルト挿通孔３には、係止爪片４を連設することで、連結部２の係止力を高めている（図１参照）。この係止爪片４は、ボルト挿通孔３の係止縁部３Ａと対峙する開口縁から斜め下方に延長されたもので、係止爪片４の先端部を吊りボルトＱの側面に弾性係止せしめるものである。そこで、この係止爪片４の係止力を高めるために、係止爪片４の先端部に平面略Ｖ字形状に形成した係止縁部４Ａを設け、この係止縁部４Ａで吊りボルトＱの側面を支えるように設けている（図５参照）。このとき、係止爪片４が斜め４５度下方を向くように形成すると、連結後の位置調整をする際に、連結部２を傾けたときに、係止爪片４の係止状態を容易に解除することができる（図６参照）。尚、図１に示す符号４Ｂは、係止爪片４の強度を高めるビードである。
【００２５】
吊りボルトＱを挿通する為に重ねた連結部２は、支持環１の弾性力によって常に開き傾向にある。図９に示す連結部２は、各ボルト挿通孔３の係止縁部３Ａの位置が上下で近接するように吊りボルトＱに係止している。このとき、重ねた連結部２が離れると、各ボルト挿通孔３の係止縁部３Ａが上下に離れることになり、前記挟着部３Ａａや係止縁部４Ａの係止状態が不確実になる虞が生じる。そこで、連結部２相互を重ねた際に、重ねた両端部相互を固定せしめる係止部５を設けている（図１参照）。この係止部５は、切欠溝５Ａと、他方の端部に突設した係止片５Ｂとからなり、該係止片５Ｂを切欠溝５Ａにスライド係止するようにしている。
【００２６】
図１に示す係止部５は、連結部２を重ねた際に、下方に位置する支持環１端部の長手両側縁部を上方へ屈曲して屈曲片６を設け、該屈曲片６の屈曲部に切欠溝５Ａを形成している。また、係止片５Ｂは、連結部２を重ねた際に、上方に位置する支持環１端部の長手両側縁部を左右に張り出した係止片５Ｂを形成し、この係止片５Ｂを切欠溝５Ａにスライド係止することで連結部２相互を固定するものである。
【００２７】
図８に示す係止部５は、図１と構成を逆にしたものである。すなわち、連結部２を重ねた際に、上方に位置する支持環１端部の長手両側縁部を下方へ屈曲して屈曲片６を設け、該屈曲片６の屈曲部に切欠溝５Ａを形成している。また、係止片５Ｂは、連結部２を重ねた際に、下方に位置する支持環１端部の長手両側縁部を左右に張り出した係止片５Ｂを形成し、この係止片５Ｂを切欠溝５Ａにスライド係止するものである。尚、係止部５の形状は図示例に限られるものではなく、重ねた連結部２を固定できるものであればよく、係止部５の設計変更は自由である。
【００２８】
本発明支持金具の使用方法は次のとおりである。まず支持環１を、支持する配管Ｐの外径に合わせて手指にて曲げる（図４参照）。次に、連結部２相互を重ね合わせ、ボルト挿通孔３が一致せしめる。このとき、係止部５を設けている連結部２は、係止部５にて固定する。そしてこの状態で本発明支持具を持ち上げて、ボルト挿通孔３に吊りボルトＱを挿通する（図１参照）。取付け位置を調整するには、再び本発明支持金具を持ち、係止爪片４の先端方向が吊りボルトＱの長手方向と略平行になるように連結部２を斜めに傾ける（図６参照）。このとき、挟着部３Ａａに連続する支持環１を押圧して挟着部３Ａａの係止を解除しながら連結部２を傾ける。すると、連結部２の係止状態は容易に解除されるので、連結位置を自由に調整することが可能になる。
【００２９】
尚、図示例の各構成は、本発明の一実施例に過ぎず、形状、寸法等の設計変更は勿論、材質の転換及び用途の変更など、現在知られている技術範囲で自由に変更することができるものである。
【図面の簡単な説明】
【００３０】
【図１】本発明支持金具の一実施例を示す使用正面図である。
【図２】本発明支持金具の一実施例を示す平面図である。
【図３】本発明支持金具の一実施例を示す正面図である。
【図４】本発明支持金具を手で曲げる状態を示す斜視図である。
【図５】本発明の挟着部と係止爪片の係止縁部とを示す平面図である。
【図６】本発明支持金具の位置を調整する状態を示す正面図である。
【図７】本発明係止部における係止状態を示す要部拡大正面図である。
【図８】本発明係止部における他の実施例の係止状態を示す正面図である。
【図９】本発明係止部における他の実施例の係止状態を示す正面図である。
【符号の説明】
【００３１】
Ｐ  配管
Ｑ  吊りボルト
１  支持環
２  連結部
３  ボルト挿通孔  ３Ａ  係止縁部
３Ａａ挟着部
４  係止爪片      ４Ａ  係止縁部
４Ｂ  ビード
５  係止部        ５Ａ  切欠溝
５Ｂ  係止片
６  屈曲片
【図１】
2005188702.tif 000003
【図２】
2005188702.tif 000004
【図３】
2005188702.tif 000005
【図４】
2005188702.tif 000006
【図５】
2005188702.tif 000007
【図６】
2005188702.tif 000008
【図７】
2005188702.tif 000009
【図８】
2005188702.tif 000010
【図９】
2005188702.tif 000011